(57)【特許請求の範囲】
【請求項１】
プラスチックフィルムを断裁したフィルム屑を落下させて回収するプラスチックフィルム用シュレッダであって、
カッタ刃が間隔配置された一対のカッタローラ間で回転により前記フィルムを断裁して細片化する回転断裁部と、
除去板を備えて前記回転断裁部の下方近傍で水平方向に移動自在で設けられ、当該回転断裁部による断裁の所定時間後に、前記カッタローラに断裁時の熱による溶け固まりで付着した前記フィルム屑を、当該除去板を水平方向に移動させて当該カッタローラの表面上から除去する屑除去手段と、
を有することを特徴とするプラスチックフィルム用シュレッダ。
【請求項２】
請求項１記載のプラスチックフィルム用シュレッダであって、前記屑除去手段により前記回転断裁部に付着した前記フィルム屑を除去する際に、当該回転断裁部に対してエアを吹き付けて冷却させる送風手段が設けられることを特徴とするプラスチックフィルム用シュレッダ。
【発明の詳細な説明】
【技術分野】
【０００１】
本発明は、プラスチックフィルムを断裁して細片化するプラスチックフィルム用シュレッダに関する。
【背景技術】
【０００２】
近年、インクリボンを使用するプリンタでは使用済みのインクリボンに印字跡が残っており、個人情報や秘匿情報の漏洩を防ぐためにシュレッダで細片化することが行われている。このような使用済みのインクリボンなどのプラスチックフィルムをシュレッダで細片化することに際して細片化したインクリボン屑の断裁時の熱による溶け固まりで生じる断裁刃の屑詰まりを効果的に除去させることが望まれる。
【０００３】
従来、使用済みのインクリボンを断裁する装置として以下の特許文献１に記載されているものが知られている。特許文献１は、切断対象のインクリボンを送りローラを介して回転ガイド部材及び回転引裂刃で切断させるもので、当該回転引裂刃に除電ブラシを回転接触させて引裂刃に静電気で絡みついたインクリボン片を下部に欠き落とす構成のものである。
【先行技術文献】
【特許文献】
【０００４】
【特許文献１】特開２０１１−０５０９３８号公報
【発明の概要】
【発明が解決しようとする課題】
【０００５】
しかしながら、特許文献１の装置では、回転引裂刃に絡みついたインクリボン片を除電ブラシで欠き落とすことが可能であっても、回転引裂刃とガイド回転部材との間に切断時の摩擦熱によりインクリボン片が溶け固まって当該回転引裂刃やガイド回転部材で屑詰まりを生じ、断裁稼働を停止させて冷却による剥離を待たなければならないという問題があると共に、当該回転引裂刃に静電気で絡み付いたインクリボン片を除電ブラシで掻き落とすとしてもガイド回転部材に静電気により絡み付いたインクリボン片まで掻き落とすことができずに屑詰まりを生じさせるという問題があり、このことは一対のカッタローラで切断を行う場合も同様であり、インクリボンに限らず、他のプラスチックフィルムを断裁する場合も同様である。
【０００６】
そこで、本発明は上記課題に鑑みなされたもので、フィルム屑の静電気による屑詰まりやフィルム屑の断裁時の熱による溶け固まりで生じる断裁部での屑詰まりを効果的に除去するプラスチックフィルム用シュレッダを提供することを目的とする。
【課題を解決するための手段】
【０００７】
上記課題を解決するために、請求項１の発明では、プラスチックフィルムを断裁したフィルム屑を落下させて回収するプラスチックフィルム用シュレッダであって、カッタ刃が間隔配置された一対のカッタローラ間で回転により前記フィルムを断裁して細片化する回転断裁部と、除去板を備えて前記回転断裁部の下方近傍で水平方向に移動自在で設けられ、当該回転断裁部による断裁の所定時間後に、前記カッタローラに断裁時の熱による溶け固まりで付着した前記フィルム屑を、当該除去板を水平方向に移動させて当該カッタローラの表面上から除去する屑除去手段と、を有する構成とする。
【０００８】
請求項２の発明では、前記屑除去手段により前記回転断裁部に付着した前記フィルム屑を除去する際に、当該回転断裁部に対してエアを吹き付けて冷却させる送風手段が設けられる構成とする。
【発明の効果】
【０００９】
請求項１の発明によれば、供給されるプラスチックフィルムが回転断裁部のカッタ刃が間隔配置された一対のカッタローラ間で回転によりで断裁され、断裁時の熱による溶け固まりで当該回転断裁部に付着されたフィルム屑を、断裁の所定時間後に、当該回転断裁部の下方近傍で水平方向に移動自在に設けられた除去板を備える屑除去手段で当該除去板を水平方向に移動させて当該カッタローラの表面上から除去する構成とすることにより、フィルム屑の静電気による屑詰まりやフィルム屑の断裁時の熱による溶け固まりで生じる回転断裁部での屑詰まりを効果的に除去することができるものである。
【００１０】
請求項２の発明によれば、屑除去手段によるフィルム屑を回転断裁部より除去する際に、当該回転断裁部に対して送風手段でエアを吹き付けて冷却させる構成とすることにより、フィルム屑による回転断裁部での屑詰まりをエア吹付による強制冷却で剥離性を向上させ、より効果的に除去することができるものである。
【図面の簡単な説明】
【００１１】
【図１】本発明に係るプラスチックフィルム用シュレッダの全体構成図である。
【図２】図１の屑除去手段の説明図である。
【図３】図１のプラスチックフィルム用シュレッダの断裁説明図である。
【図４】図１のプラスチックフィルム用シュレッダにおける屑除去動作の説明図（１）である。
【図５】図１のプラスチックフィルム用シュレッダにおける屑除去動作の説明図（２）である。
【発明を実施するための形態】
【００１２】
以下、本発明の実施形態を図により説明する。本実施形態では、断裁対象のプラスチックフィルムをプリンタに使用されるインクリボンとして説明するが、情報が記載されたロール状のプラスチックフィルムやシート状のプラスチックフィルムについても適用することができるものである。
【００１３】
図１に本発明に係るプラスチックフィルム用シュレッダの全体構成図を示すと共に、図２に図１の屑除去手段の説明図を示す。図１（Ａ）はプラスチックフィルム用シュレッダの全体斜視図、図１（Ｂ）は概略断面図である。図１（Ａ）において、プラスチックフィルム用シュレッダ１１は、プリンタで使用されたロール状のインクリボン（プラスチックフィルム）を細片化によるインクリボン屑（フィルム屑）として収納回収させるものであって、インクリボンを連続的に供給する供給部１２及び断裁本体１３を有して構成され、供給部１２は断裁本体１３と分離自在に載置状態で位置される。
【００１４】
断裁本体１３の前面に扉１４が設けられ、断裁片収納袋保持具を装着、取り出しや後述の屑除去手段を操作させるために開放される。また、断裁本体１３の上面には供給部１２から供給される連続のインクリボンを受け入れる受入部１５が形成されると共に、所定箇所に電源スイッチ１６や操作パネル１７が設けられている。
【００１５】
断裁本体１３の内部は、上記受入部１５に連なる断裁領域部１８Ａと、当該断裁領域部１８Ａの下方に断裁片収納領域部１９とが設けられる。当該断裁領域部１８Ａより前面側に第１前カバー１８Ｂ−１を介して第２前カバー１８Ｂ−２で形成される前面領域部１８Ｂが設けられ、奥側に第１後カバー１８Ｃ−１を介して第２後カバー１８Ｃ−２で形成される奥側領域部１８Ｃが設けられる。
【００１６】
上記断裁領域部１８Ａには受入部１５の下方に一対のカッタローラ２１Ａ，２１Ｂを備える回転断裁部であるカッタ部２１が配置され、当該カッタ部２１（カッタローラ２１Ａ，２１Ｂ）の下方近傍に屑除去手段２４が設けられる。また、上記断裁片収納領域部１９内で断裁片収納袋２２がセットされた断裁片収納袋保持具２３が係合部２０等で装着される。
【００１７】
上記屑除去手段２４は、図２（Ａ）に示すように、除去板３１の両端側と持ち手３２の下方両端側に形成された支持板３３Ａ、３３Ｂとの間に支持ロッド３４Ａ，３４Ｂが設けられた構造のものである。
【００１８】
上記除去板３１は、図２（Ｂ）に示すように、カッタ部２１の一対のカッタローラ２１Ａ，２１Ｂの下方近傍に配置され、支持ロッド３４Ａ，３４Ｂは、図１（Ｂ）に示す前面領域部１８Ｂの第１前カバー１８Ｂ−１及び第２前カバー１８Ｂ−２に形成された支持孔２５Ａ−１，２５Ａ−２，２５Ｂ−１，２５Ｂ−２（支持孔２５Ａ−１，２５Ａ−２は図に表れず）で摺動自在に支持される。持ち手３２は、第２前カバー１８Ｂ−２の前面に位置され、扉１４が開放されたときに表れる。すなわち、扉１４を開放して持ち手３２を手前、奥に往復移動させることで除去板３１が一対のカッタローラ２１Ａ，２１Ｂの並びに対して平行移動（水平移動）するものである。
【００１９】
図１（Ｂ）に戻り、上記奥側領域部１８Ｃには、モータなどの駆動系（図示せず）や送風手段であるブロアファン２６が設けられ、送風ダクト口２６Ａが断裁部領域部１８Ａの上方に連通される。当該断裁領域部１８Ａ内に送風してカッタ部２１（カッタローラ２１Ａ，２１Ｂ）にエア（図４、図５で説明する）を吹き付ける構造としている。
【００２０】
ここで、図３に図１のプラスチックフィルム用シュレッダの断裁説明図を示すと共に、図４及び図５に図１のプラスチックフィルム用シュレッダにおける屑除去動作の説明図を示す。まず、図３において、供給部１２に使用済みの各インクリボンロール５１がそれぞれセットされて、これらの先端部分が合わされて受入部１５より断裁領域部１８のカッタ部２１（カッタローラ２１Ａ，２１Ｂ）まで挿入され、電源スイッチ１６が投入されることでカッタローラ２１Ａ，２１Ｂが回転駆動される。
【００２１】
各インクリボンロール５１は、連続的にカッタローラ２１Ａ，２１Ｂによって断裁されて細片化され、断裁片であるインクリボン屑５２として断裁片収納袋２２内に落下して収納される。断裁駆動では、カッタローラ２１Ａ，２１Ｂが断裁時の摩擦熱により温度上昇し、当該熱によって断裁したインクリボン屑５２が、図５（Ａ）に示すように、カッタローラ２１Ａ，２１Ｂで溶け固まって付着した状態となり、屑詰まりを生じさせる。
【００２２】
そこで、適宜所定時間ごとや、断裁片収納袋２２が断裁片５２を所定量収納したときに、図４に示すように、まず扉１４を開放し、例えば操作パネル１７のカッタローラ２１Ａ，２１Ｂの逆転ボタンを操作することでブロアファン２６を駆動させ（この場合、扉１４の解放状態ではブロアファン２６のみが駆動してカッタローラ２１Ａ，２１Ｂの逆回転はされないものとする）、送風ダクト口２６Ａよりエア２６Ｂを当該カッタローラ２１Ａ，２１Ｂに吹き付ける。これによって、カッタローラ２１Ａ，２１Ｂは冷却される。
【００２３】
そして、図４及び図５（Ｂ）に示すように、屑除去手段２４の持ち手３２を手前、奥に往復動作させることで除去板３１が一対のカッタローラ２１Ａ，２１Ｂの並びに対して平行移動（水平移動）し、当該除去板３１が当該カッタローラ２１Ａ，２１Ｂに溶け固まって付着したインクリボン屑５２を掻き落として除去するものである。特に、カッタローラ２１Ａ，２１Ｂをエア２６Ｂで強制的に冷却して付着したインクリボン屑５２の剥離性を向上させることでインクリボン屑５２が除去板３１で除去されやすくなるものである。
【００２４】
このように、屑除去手段２４（除去板３１）により、インクリボン屑５２の静電気による屑詰まりやインクリボン屑５２の断裁時の熱による溶け固まりで生じるカッタ部２１（カッタローラ２１Ａ，２１Ｂ）での屑詰まりを効果的に除去することができ、この際に、カッタ部２１（カッタローラ２１Ａ，２１Ｂ）に対してブロアファン２６よりエア２６Ｂを吹き付けて強制冷却させることで、カッタローラ２１Ａ，２１Ｂに付着したインクリボン屑５２の剥離性を向上させてより効果的に除去することができるものである。
【産業上の利用可能性】
【００２５】
本発明のプラスチックフィルム用シュレッダは、使用済みプラスチックフィルムを細片化させる装置の製造、販売、使用等の産業に利用可能である。
【符号の説明】
【００２６】
１１            プラスチックフィルム用シュレッダ
１２            供給部
１３            断裁本体
１４            扉
１５            受入部
１６            電源スイッチ
１７            操作パネル
１８Ａ          断裁領域部
１８Ｂ          前面領域部
１８Ｃ          奥側領域部
１９            断裁片収納領域部
２０            係合部
２１            カッタ部
２１Ａ，２１Ｂ  カッタローラ
２２            断裁片収納袋
２３            断裁片収納袋保持具
２４            屑除去手段
２５Ａ，２５Ｂ  ロッドガイド部
２６            ブロアファン
２６Ａ          送風ダクト
２６Ｂ          エア
３１            除去板
３２            持ち手
３３            支持部
３４Ａ，３４Ｂ  支持ロッド
５１            インクリボンロール
５２            インクリボン屑
【図１】
0006579792.tif 000002
【図２】
0006579792.tif 000003
【図３】
0006579792.tif 000004
【図４】
0006579792.tif 000005
【図５】
0006579792.tif 000006